【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
動き適応ビデオデインターレースの方法であって、
（Ａ）複数のモードのうちの第１のモードにおいて、現在のフィールドをデインターレースすることによってフレームを生成するステップと、
（Ｂ）前記モードのうちの第２のモードにおいて、前記現在のフィールドおよび反対パリティフィールドの両方を用いてデインターレースすることによって前記フレームを生成するステップと、
（Ｃ）前記モードのうちの第３のモードにおいて、前記現在のフィールド、前記反対パリティフィールドおよび別のフィールドの全てを用いてデインターレースすることによって前記フレームを生成するステップと、
（Ｄ）前記反対パリティフィールドと前記別のフィールドとの間の画素ベースごとの静止状態を決定するステップと、
（Ｅ）前記静止状態が真であれば、前記第３のモードを選択するステップと、
を含む方法。
【請求項２】
（ｉ）メモリ制約および（ｉｉ）システム帯域幅制約の少なくとも１つの制約が、（ａ）システムまたは（ｂ）前記システムの特定の動作モードの１つを特徴づけるように、前記モードの異なる組み合わせの間で切り替わるステップをさらに含む、請求項１に記載の方法。
【請求項３】
（ｉ）前記フレームを生成するように構成されたモジュールの外部のメモリに、（ｉｉ）前記フレームを生成するために、（ａ）前記第１のモードにおけるデータのわずか１フィールドの値、（ｂ）前記第２のモードにおけるデータのわずか２フィールドの値、および（ｃ）前記第３のモードにおけるデータのわずか３フィールドの値をバッファするステップをさらに含む、請求項１に記載の方法。
【請求項４】
（ｉ）メモリから、前記フレームを生成するように構成されたモジュールへ、（ｉｉ）前記フレームを生成するために、（ａ）前記第１のモードにおける前記現在のフィールドに他ならないフィールド、（ｂ）前記第２のモードにおける前記現在のフィールドおよび前記反対パリティフィールドに他ならないフィールド、ならびに（ｃ）前記第３のモードにおける前記現在のフィールド、前記反対パリティフィールド、および前記別のフィールドに他ならないフィールドを転送するステップをさらに含む、請求項１に記載の方法。
【請求項５】
前記モードの第４のモードにおいて、（ｉ）１つまたは複数のルミナンスフィールドの可変数および（ｉｉ）１つまたは複数のクロミナンスフィールドの前記可変数の両方を用いてデインターレースすることによって、前記フレームを生成するステップをさらに含む、請求項１に記載の方法。
【請求項６】
前記第１のモード、前記第２のモード、前記第３のモードおよび前記第４のモードの間で切り替わるステップをさらに含む、請求項５に記載の方法。
【請求項７】
システム再構成に応じて、デインターレースにおいて用いられるルミナンスフィールドの数を変更するステップをさらに含む、請求項１に記載の方法。
【請求項８】
システム再構成に応じて、デインターレースにおいて用いられるクロミナンスフィールドの数を変更するステップをさらに含む、請求項１に記載の方法。
【請求項９】
前記反対パリティフィールドおよび前記別のフィールドの両方が、前記現在のフィールドの前の時間に生じる、請求項１に記載の方法。
【請求項１０】
現在のフィールドをバッファするように構成されたメモリと、
（ｉ）複数のモードのうちの第１のモードにおいて、前記現在のフィールドをデインターレースすることによってフレームを生成し、（ｉｉ）前記モードのうちの第２のモードにおいて、前記現在のフィールドおよび反対パリティフィールドの両方を用いてデインターレースすることによって前記フレームを生成し、（ｉｉｉ）前記モードのうちの第３のモードにおいて、前記現在のフィールド、前記反対パリティフィールドおよび別のフィールドの全てを用いてデインターレースすることによって前記フレームを生成し、（ｉｖ）前記反対パリティフィールドと前記別のフィールドとの間の画素ベースごとの静止状態を決定し、かつ（ｖ）前記静止状態が真であれば、前記第３のモードを選択するように構成されたモジュールと、
を含むシステム。
【請求項１１】
動き適応ビデオデインターレースの方法であって、
（Ａ）現在のフィールドにおいて複数の現在の画素位置用に複数の現在のフィールドカウントを生成するステップであって、前記現在のフィールドカウントのそれぞれが、前記現在の画素位置のそれぞれ１つの静止履歴を追跡するステップと、
（Ｂ）前記現在のフィールドカウントに基づいて、前記現在のフィールドをデインターレースすることによってフレームを生成するステップと、
を含む方法。
【請求項１２】
ステップ（Ｂ）が、前のフィールドにおける複数の前の画素位置の複数の前のフィールドカウントにさらに基づいている、請求項１１に記載の方法。
【請求項１３】
前記現在のフィールドのルミナンスチャネル、前記現在のフィールドの第１のクロミナンスチャネルおよび前記現在のフィールドの第２のクロミナンスチャネルにおけるそれぞれの複数の静止チェックに基づいて前記現在のフィールドカウントを更新するステップをさらに含む、請求項１１に記載の方法。
【請求項１４】
前記現在のフィールドカウントを所定値に設定するステップをさらに含む、請求項１１に記載の方法。
【請求項１５】
動き適応ビデオデインターレースの方法であって、
（Ａ）第１のモードにおいて、現在のフィールド、前のフィールドおよび次のフィールドを時空間的に混合することによってフレームを生成するステップと、
（Ｂ）第２のモードにおいて、前記現在のフィールドおよび前記前のフィールドを時空間的に混合することによって前記フレームを生成するステップと、
（Ｃ）前記現在のフィールドに関連する２つの反対パリティフィールドの１つから複数の同じ場所のフィールド画素を選択するステップであって、前記同じ場所のフィールド画素が前記時空間的混合において用いられるステップと、
を含む方法。
【請求項１６】
第３のモードにおいて、前記現在のフィールドおよび前記次のフィールドを時空間的に混合することによって前記フレームを生成するステップをさらに含む、請求項１５に記載の方法。
【請求項１７】
前記時空間的混合が、メジアン演算を含む、請求項１５に記載の方法。
【請求項１８】
前記時空間的混合が、非線形動作を含む、請求項１５に記載の方法。
【請求項１９】
前記前のフィールドと前記次のフィールドとの間の差に基づいて、空間フィルタリングからの変更を制限するステップをさらに含む、請求項１５に記載の方法。
【請求項２０】
現在のフィールドの複数のルミナンスフィールドおよび複数のクロミナンスフィールドをデインターレースするために、前のフィールドおよび次のフィールドの利用を別々にイネーブルにする複数の構成信号を生成するように構成されたコントローラと、
前記構成信号に基づいて、前記ルミナンスフィールドおよび前記クロミナンスフィールドの任意のセットを用いてデインターレースすることによって、フレームを生成するように構成されたモジュールであって、前記セットが現在のフィールドのみの構成を含むモジュールと、
を含むシステム。
【手続補正２】
【補正対象書類名】明細書
【補正対象項目名】０００１
【補正方法】変更
【補正の内容】
【０００１】
本出願は、２００３年１２月４日に出願された、かつ参照により全体において本明細書に援用されている同時係属中の米国特許出願第１０／７２７，４７６号明細書（現在は米国特許第７１７０５６１号明細書）に関連する。本発明は、一般に、ビデオデインターレースに関し、特に、低減されたメモリおよび帯域幅の動き適応ビデオデインターレース技術に関する。